(57)【要約】      （修正有）【課題】ローカルネットワークにおいて、互換性のある機器と互換性のない機器との間で、ＷｉＦｉディスプレイなどの無線接続を介した接続を実装する。【解決手段】第１の無線通信インタフェースと、インターオペラビリティプロトコルを用いたコンテンツ共有動作を実装するように構成された第２のインタフェースとを有するネットワークゲートウェイにおいて、第１のインタフェースが、無線通信インタフェースを用いる再生機能と互換性を有するものとしてリモート機器により検出されるようにするための情報要素を送信するステップと、無線ネットワークプロトコルのリンクレイヤで規定された、オーディオビジュアルコンテンツアイテムを含み、無線接続により第１のインタフェースに接続された第２のリモート装置から受信されるデータフレームを受信するステップと、前記第２のインタフェースにおいて受信したコンテンツを再生装置に送信するステップとを有する。【選択図】図１
2015008460.tif 000002
【特許請求の範囲】
【請求項１】
ローカルネットワークのための、無線通信を実装するように構成された第１のインタフェースと、ローカルネットワーク用のインターオペラビリティプロトコルで規定されたコンテンツ共有動作を実装するように構成された第２のインタフェースとを有相互接続装置であって、
前記装置が無線接続インタフェースを用いる再生機能と互換性があるものとしてリモート機器により検出できるようにするために、少なくとも一情報要素を送信する送信モジュールと、
無線ネットワークプロトコルのリンクレイヤで規定された、オーディオビジュアルコンテンツアイテムをコーディングし、無線接続により前記受信モジュールに接続された第２のリモート装置から受信されるデータフレームを受信する受信モジュールと、
前記第２のリモート装置から受信した前記データフレームで受信した前記オーディオビジュアルコンテンツを送信し、同じローカルネットワークに接続された複数機器間でコンテンツを共有するように構成された前記インターオペラビリティプロトコルで規定された機能の実装により、前記第２の装置から受信したコンテンツが前記送信モジュールに接続された第３の装置により再生されるようにする送信モジュールと
を有することを特徴とする、ローカルネットワーク用相互接続装置。
【請求項２】
ローカルネットワークのための前記インターオペラビリティプロトコルは、ＵＰｎＰ／ＤＬＮＡ標準またはこの標準の改訂版により規定されていることを特徴とする、請求項１に記載のローカルネットワーク用相互接続装置。
【請求項３】
無線ネットワークプロトコルの前記リンクレイヤはＭＡＣレイヤであることを特徴とする、
請求項１または２に記載のローカルネットワーク用相互接続装置。
【請求項４】
前記相互接続装置が無線接続インタフェースを用いて再生する機能と互換性があるものとしてリモート機器により検出されるための前記少なくとも一情報要素は、ピアツーピア無線通信標準に含まれる機能宣言サービスで規定されていることを特徴とする、
請求項１ないし３いずれか一項に記載のローカルネットワーク用相互接続装置。
【請求項５】
前記相互接続装置が無線接続インタフェースを用いて再生する機能と互換性があるものとしてリモート機器により検出されるための前記少なくとも一情報要素は、ピアツーピア無線通信標準で規定されているＭＡＣネットワークレイヤの情報要素ＩＥであることを特徴とする、
請求項１ないし４いずれか一項に記載のローカルネットワーク用相互接続装置。
【請求項６】
無線接続インタフェースを用いた前記再生機能は、無線通信インタフェースを介したディスプレイ転送の標準で規定されていることを特徴とする、
請求項１ないし５いずれか一項に記載のローカルネットワーク用相互接続装置。
【請求項７】
無線通信を実装するように構成された第１のインタフェースと、ローカルネットワークのインターオペラビリティプロトコルで規定されたコンテンツ共有動作を実装するように構成された第２のインタフェースとを有するローカルネットワーク用ネットワーキングゲートウェイ装置における、ローカルネットワークの相互接続方法であって、
前記第１のインタフェースが、前記装置が無線接続インタフェースを用いる再生機能と互換性があるものとしてリモート機器により検出できるようにするために、少なくとも一情報要素を送信するステップと、
無線ネットワークプロトコルのリンクレイヤで規定された、オーディオビジュアルコンテンツアイテムをコーディングし、無線接続により前記第１のインタフェースに接続された第２のリモート装置から受信されるデータフレームを受信するステップと、
前記第２のリモート装置から前記第２のインタフェースに受信した前記データフレームで受信した前記コンテンツを送信し、前記第２の装置から受信したコンテンツが、同じローカルネットワークに接続された機器間でコンテンツを共有するように構成された前記インターオペラビリティプロトコルで規定された機能の実装により、前記第２の装置に接続された第３の装置により表示されるようにするステップとを有する、
ローカルネットワークの相互接続方法。
【請求項８】
ローカルネットワークのための前記インターオペラビリティプロトコルは、ＵＰｎＰ／ＤＬＮＡ標準またはこの標準の改訂版により規定されている、請求項７に記載のローカルネットワーク用ゲートウェイ装置におけるローカルネットワークの相互接続方法。
【請求項９】
無線ネットワークプロトコルの前記リンクレイヤはＭＡＣレイヤであり、前記ネットワークゲートウェイが無線接続インタフェースを用いて再生する機能と互換性があるものとしてリモート機器により検出されるための前記情報要素は、ピアツーピア無線通信標準に含まれる機能宣言サービスで規定されていることを特徴とする、請求項７または８に記載のローカルネットワーク用ゲートウェイ装置におけるローカルネットワークの相互接続方法。
【請求項１０】
無線接続インタフェースを用いた前記再生機能は、無線通信インタフェースを介したディスプレイ転送の標準で規定されていることを特徴とする、請求項７ないし９いずれか一項に記載のローカルネットワーク用ゲートウェイ装置におけるローカルネットワークの相互接続方法。
【請求項１１】
前記コンテンツを送信するステップは、その前に前記データのフォーマットを合わせるステップ、及び／または前記オーディオビジュアルコンテンツの変換をするステップを含むことを特徴とする、請求項７ないし１０いずれか一項に記載のローカルネットワーク用ゲートウェイ装置におけるローカルネットワークの相互接続方法。
【請求項１２】
前記データのフォーマットを合わせるステップは、無線通信インタフェースを介したディスプレイ転送の標準と互換性のあるフォーマットから、ＵＰｎＰ／ＤＬＮＡ標準と互換性のあるフォーマットへの移行に対応することを特徴とする、請求項７ないし１１いずれか一項に記載のローカルネットワーク用ゲートウェイ装置におけるローカルネットワークの相互接続方法。
【請求項１３】
前記オーディオビジュアルコンテンツを変換するステップは、Ｈ．２６４標準と互換性のあるフォーマットから、ＭＰＥＧ２標準と互換性のあるフォーマットへの移行に対応することを特徴とする、請求項７ないし１２いずれか一項に記載のローカルネットワーク用ゲートウェイ装置におけるローカルネットワークの相互接続方法。
【発明の詳細な説明】
【技術分野】
【０００１】
本発明は、無線通信インタフェースを介した、ディスプレイ転送（すなわちスクリーンミラーリング）機能とは非互換な機器へのディスプレイ転送機能のエミュレーションに関する。
【背景技術】
【０００２】
多くの電子機器は、ローカルコンピュータネットワーク（ホームネットワークなど）に組み込まれ、他の接続機器とともに、ユーザが利用可能な機能の実装に参加するのに適している。
【０００３】
携帯型電子装置により、寸法が小さくなり、可搬性が大幅に向上した。そのためユーザはそれをどこへでも持ち運べる。スクリーンに関する技術の発達により、ポータブルプレーヤ、タブレット、ラップトップコンピュータ、スマートホンなどのオーディオビジュアル再生装置上で利用できる小さい寸法のスクリーン上の画像は非常によい画質である。
【０００４】
また、スクリーン作成に用いられる最新技術により、固定（非携帯型）再生装置の、例えばテレビジョンセットやモニタなどの大型再生面へのアクセスが可能となった。
【０００５】
ユーザは、利用の仕方とどこにいるかに応じて、コンテンツの再生（表示）中、寸法が小さいディスプレイを有する携帯型装置で、または寸法が大きいディスプレイを有しユーザの快適な視聴により適した固定装置で、コンテンツアイテムを見ることを好むか
このように、スマートホンやタブレットは、車や公共交通で移動中にコンテンツアイテムを見るのに非常に適しており、例えば家で映画を見る場合には、大型スクリーンで見ることが好まれる場合が多い。
【０００６】
最近、ある機能により、無線接続を用いることにより、固定装置及び／またはより大型の装置による、携帯型機器で利用可能なオーディオビジュアルコンテンツアイテムの再生を、簡単な方法でユーザが制御することができるようになった。この機能は、以下、本明細書では「ディスプレイ転送（display  forwarding）」と呼ぶ。このように、両装置が近くにありその接続技術と互換的であれば、携帯型装置を用いて撮影（保存）されたコンテンツアイテムを、（ディスプレイ）寸法が大きい再生装置により、容易かつ素早く表示できる。
【０００７】
このように、標準化されたＷｉＦｉディスプレイ技術は、Ｍｉｒａｃａｓｔという名前でも知られているが、これによりスマートホンタイプの装置がそのローカルコンテンツ（すなわち、内部メモリに保存されているコンテンツ）を、無線接続により、リモート再生装置上に表示できる。ＷｉＦｉディスプレイ及びＭｉｒａｃａｓｔ技術は、両方ともＷｉＦｉディスプレイダイレクト技術から構成されている。
【０００８】
Ａｐｐｌｅ社のＡｉｒ  Ｐｌａｙ、Ｉｎｔｅｌ社のＷｉＤｉ、ｍｉｒｒｏｒｏｐなど、他の独自ソリューションもあり、ユーザに同じ機能を提供している。
【０００９】
以下、ＷｉＦｉダイレクトに基づき、Ｂｌｕｅｔｏｏｔｈ技術と同様に圧縮されたオーディオビジュアルコンテンツのリモート機器へのブロードキャストを可能にする、無線ピアツーピア接続によるディスプレイ転送機能として「ＷｉＦｉディスプレイ」機能を説明する。ＷｉＦｉダイレクトで定義されたプロトコル要素と、Ｍｉｒａｃａｓｔと名付けられた標準によりサポートされたディスプレイ転送の機能の実装を可能にする「ＷｉＦｉディスプレイ」で規定されたプロトコル要素を示すために、「ＷｉＦｉディスプレイ標準」を用いる。「ＷｉＦｉダイレクト」は、「ＷｉＤｉ」とも呼ばれ、アクセスポイントをもちいないで、ＷｉＦｉリンクにより２つの機器を相互に直接接続する標準である。ＷｉＦｉディスプレイによるディスプレイ転送機能は、該当する両装置が互換的であることを要する。
ＷｉＦｉディスプレイの媒体として機能するＷｉＦｉダイレクト（ＷｉＤｉ）は、それ自体は、生産者のアライアンスである「ＷｉＦｉアライアンス」により説明されているように、直接的ピアツーピアＷｉＦｉ接続機能の保証または互換性のマークとして、「ＷｉＦｉアライアンス」により定義されている。
【００１０】
ユーザは、ＷｉＦｉディスプレイ技術と互換性のある携帯型機器を有していても、（固定式であると思われる）自宅の他の再生機器は互換性がないことがある。これらのユーザフレンドリーなディスプレイ技術により提供される利点は、新しい装置を、今回はＷｉＦｉディスプレイなどのディスプレイ技術と互換性のある装置を取得しなければ、ユーザには利用できない。ユーザには高いと思えるかも知れない。他の一ソリューションは、再生装置に接続された「ドングル（dongle）」装置（通信ポートに接続された小型周辺装置）の利用にある。「ドングル」は、ＷｉＦｉディスプレイ標準によるコンテンツを受け、そのコンテンツを、例えばＨＤＭＩ（High  Definition  Multimedia  Interface）デジタルオーディオ／ビデオインタフェースなどのリンクを介して、再生装置に転送する。それゆえ、これは、ある機器を取得しなければならず、追加的費用が発生する。
【００１１】
多くのディスプレイ装置は、無線接続を介してコンテンツをブロードキャストする最近の技術とは互換性がなくても、ローカルネットワークに接続するように構成され、ＵＰｎＰ（Universal  Plug  and  Play）やＤＬＮＡ（Digital  Living  Network  Alliance）などのコンテンツ共有標準とは互換性がある。
【発明の概要】
【００１２】
本発明は、ネットワークゲートウェイを有するローカルネットワークにおいて、互換性のある機器アイテムと互換性のない機器アイテムとの間で、ＷｉＦｉディスプレイなどの無線接続（ここでディスプレイ転送と呼ぶ機能）を介した接続と表示のユーザフレンドリーな機能を実装する方法と装置を提案することにより、状況を改善する。
【００１３】
本発明によると、ローカルネットワークのゲートウェイが、オーディオビジュアルコンテンツを再生する手段を有していなくても、ＷｉＦｉディスプレイ（Ｍｉｒａｃａｓｔ）標準と互換性のあるオーディオビジュアルコンテンツ再生装置に巧妙になりすます。実際、幾つかの実施形態では、ゲートウェイは、ベースバンドオーディオビジュアル信号出力インタフェースも復号手段もどちらも有していない。ここで、ベースバンドは、ある種のオーディオ／ビデオ信号が表示前に解凍動作を要しないことにより定義される。さらに本発明によると、ゲートウェイがＷｉＦｉディスプレイ互換送信装置からＷｉＦｉディスプレイ非互換装置へのオーディオビジュアルコンテンツの転送を実行し、リレー（またはプロキシ）として機能するゲートウェイを介して、後者が互換送信装置により互換性があると見え、送信装置からオーディオビジュアルコンテンツアイテムを再生するようにする。
【００１４】
より具体的には、本発明は、無線通信を実装するように構成された第１のインタフェースと、ローカルネットワークのインターオペラビリティプロトコルすなわち標準で規定されたコンテンツ共有動作を実装するように構成された第２のインタフェースを有するローカルネットワークの相互接続装置に関する。本発明の一実施形態では、相互接続装置は：
−前記装置が無線接続インタフェースを用いる再生機能と互換性があるものとしてリモート機器により検出できるようにするために、少なくとも一情報要素を送信するように構成された第１の送信モジュールと、
−無線ネットワークプロトコルのリンクレイヤで規定された、オーディオビジュアルコンテンツアイテムをコーディングし、無線接続により、例えば第１のインタフェースを介して、前記受信モジュールに接続された第２のリモート装置から受信されるデータフレームを受信するように構成された受信モジュールと、
−前記第２のリモート装置から受信した前記データフレームで受信した前記オーディオビジュアルコンテンツを送信し、同じローカルネットワークに接続された複数機器間でコンテンツを共有するように構成された前記インターオペラビリティプロトコルで規定された機能の実装により、前記第２の装置から受信したコンテンツが前記送信モジュールに接続された第３の装置により再生されるように構成された第２の送信モジュールとを有する。
【００１５】
本発明の一実施形態では、ローカルネットワークの前記インターオペラビリティ装置により実装されたローカルネットワークの前記インターオペラビリティプロトコルは、ＵＰｎＰ／ＤＬＮＡ標準またはこの標準の改訂版により規定されている。
【００１６】
本発明の一実施形態では、用いられる無線ネットワークプロトコルのリンクレイヤはＭＡＣレイヤである、
本発明の一実施形態では、ゲートウェイが無線接続インタフェースを用いた再生機能と互換性を有するものとしてリモート機器により検出させるための少なくとも一情報要素は、例えばＷｉＦｉダイレクト標準などのピアツーピア無線通信に含まれる機能宣言サービスで規定されている。
【００１７】
本発明の一実施形態では、ゲートウェイが、無線接続インタフェースを用いた再生機能と互換性があるとしてリモート機器アイテムにより検出させるための少なくとも一情報要素は、ＷｉＦｉダイレクト標準またはこの標準の改訂版などのピアツーピア無線通信標準で規定されているＭＡＣネットワークレイヤのＩＥ（情報要素）である。
【００１８】
本発明の一実施形態では、無線接続インタフェースを用いた再生機能は、ＷｉＦｉディスプレイ上旬またはこの標準の改訂版などの無線通信インタフェースを介したディスプレイ転送の標準として規定されている。
【００１９】
本発明は、無線通信を実装するように構成された第１のインタフェースと、ローカルネットワークのインターオペラビリティプロトコルすなわち標準で規定されたコンテンツ共有動作を実装するように構成された第２のインタフェースを有するローカルネットワークにおける相互接続方法、ローカルネットワークのゲートウェイ装置の相互接続装置に関する。一実施形態では、該方法は、
−第１のインタフェースが、ネットワークゲートウェイが無線通信インタフェースを用いる再生機能と互換性を有するものとしてリモート機器により検出されるようにするための少なくとも一情報要素を送信するステップと、
−無線ネットワークプロトコルのリンクレイヤで規定された、オーディオビジュアルコンテンツアイテムのデータコーディングを含み、無線接続により前記第１のインタフェースに接続された第２のリモート装置から受信されるデータフレームを受信するステップと、
−リモート機器から第２のインタフェースに、受信したフレームで受信したコンテンツを送信し、第２の装置から受信したコンテンツが同じローカルネットワークに接続された機器間でコンテンツを共有するように構成されたインターオペラビリティプロトコルで規定された機能の実装により、第２のインタフェースに接続された第３の装置により表示（または再生）されるようにするステップとを有する。
【００２０】
本発明の一実施形態では、ローカルネットワーク用のネットワークゲートウェイにおける、ローカルネットワーク用の相互接続方法は、ＵＰｎＰ／ＤＬＮＡインターオペラビリティ標準またはこの標準の改訂版で規定されたローカルネットワークのインターオペラビリティプロトコルを実装する。
【００２１】
本発明の一実施形態では、第１のインタフェースにより用いられる無線ネットワークプロトコルのリンクレイヤは、ＭＡＣレイヤであり、ゲートウェイが無線接続インタフェースを用いた再生機能と互換性があるものとしてリモート機器により検出されるようにするための情報要素は、ＷｉＦｉダイレクト標準などのピアツーピア無線通信標準に含まれる機能宣言サービスで規定されている。
【００２２】
本発明の一実施形態では、無線接続インタフェースを用いた再生機能は、ＷｉＦｉディスプレイ上旬またはこの標準の改訂版などの無線通信インタフェースを介したディスプレイ転送の標準として規定されている。
【００２３】
本発明の一実施形態では、コンテンツを送信するステップは、データのフォーマットを合わせるステップ及び／またはオーディオビジュアルコンテンツを変換するステップを有する。
【００２４】
本発明の一実施形態では、前記データのフォーマットを合わせるステップは、ＷｉＦｉディスプレイ標準などの無線通信インタフェースを介したディスプレイ転送の標準と互換性のあるフォーマットから、ＵＰｎＰ／ＤＬＮＡ標準と互換性のあるフォーマットへの移行に対応する。
【００２５】
本発明の一実施形態では、オーディオビジュアルコンテンツを変換するステップは、Ｈ．２６４標準と互換性のあるフォーマットからＭＰＥＧ２標準と互換性のあるフォーマットへの移行に対応する。
【図面の簡単な説明】
【００２６】
添付図面を参照した以下の説明を読めば、本発明をよく理解でき、その他の具体的な特徴と利点がはっきりするであろう。
【図１】ネットワークゲートウェイタイプの相互接続装置、接続されたテレビジョン、及びスマートホン装置を有するローカルネットワークを示す図である。
【図２】図１に示し、図１のスマートホン及びテレビジョンセットに接続されたネットワークゲートウェイのアーキテクチャ詳細を示す図である。
【図３】本発明による相互接続及びコンテンツ伝送方法を示す機能図である。
【発明を実施するための形態】
【００２７】
図１と図２において、図示したモジュールは機能ユニットであり、必ずしも物理的に区別可能なユニットに対応するものではない。例えば、これらのモジュールは全体を、またはその一部を、１つの部品にまとめてもよいし、または同一ソフトウェアの機能としてもよい。逆に、他の実施形態では、いくつかのモジュールは別の物理的装置よりなっている。
【００２８】
図１は、ネットワークゲートウェイタイプの相互接続装置ＧＷ−ＩＥ２、接続されたテレビジョンセットＣＯＮＮ−ＴＶ３、及び携帯型スマートホン装置ＷＦＤＩＳＰ１を含むネットワークパスＬＡＮ−Ｌ１  ４とＬＡＮ−Ｌ２  ５を含むローカルネットワークを示している。
【００２９】
携帯型スマートホン装置ＷＦＤＩＳＰは、商品名ＭｉｒａｃａｓｔのＷｉＦｉディスプレイ標準と互換性を有する。スマートホンは、モバイルテレフォニー、ジオロケーション、コンテンツ受信、ビデオ及びオーディオのレコーディング、大規模記憶機能を実装するように構成され、ディスプレイスクリーンとサウンド再生装置とを有する。装置ＷＦＤＩＳＰ１は、オーディオビジュアルコンテンツアイテムを、それぞれの無線通信インタフェースを媒介として、ＷｉＦｉディスプレイ互換再生装置に送信するように構成されている。それゆえ、この機能は、ＷＦＤＩＳＰ１のディスプレイをＷｉＦｉディスプレイ互換テレビジョンセットに転送できるようにする。
【００３０】
テレビジョンセットＣＯＮＮ−ＴＶ３は、接続されたテレビジョンセットタイプの再生装置であり、ＬＡＮローカルネットワークに接続するインタフェースを有する。本発明の実施形態では、インタフェースは、イーサネットタイプであり、テレビジョンセットＣＯＮＮ−ＴＶ３の制御ユニットモジュールＴＶ−ＣＵ３０に含まれている。テレビジョンセットＣＯＮＮ−ＴＶ３は、無線接続インタフェースを有さず、無線携帯型装置用のディスプレイ転送技術、例えばＷｉＦｉディスプレイとの互換性も本来有していない。
【００３１】
本発明の本実施形態では、ネットワークゲートウェイが、それに接続されている（ネットワークパスＬＡＮ−Ｌ１  ４及びＬＡＮ−Ｌ２  ５）ローカルネットワーク（ホームネットワークその他）のＷｉＦｉディスプレイ機能の実装においてプロキシ装置として機能する。ネットワークゲートウェイは、このタイプの効きの標準的アーキテクチャで構成されている。制御ユニットＧＷＣＵ２０は、ネットワークスイッチ、ルータ、ブリッジの機能の実装に有用なすべての要素を有する。ゲートウェイはさらにＷＡＮ（ワイドエリアネットワーク）ネットワークインタフェース、無線ローカルエリアネットワークインタフェースＧＷ−ＩＦ１  ２１、及び無線ローカルエリアネットワークインタフェースＧＷ−ＩＦ２  ２２を有する。無線通信インタフェースＧＷ−ＩＦ１は、無線通信標準IEEE８０２.１１−２０１２と互換性を有する。ネットワークゲートウェイＧＷ−ＩＥ２の制御部は、その利用に特化した機能の実装のために有用なすべての要素を有し、特に、マイクロコントローラと、フラッシュタイプの不揮発性記憶メモリと、組み込みソフトウェアを実行しシステムコンテキストをバックアップするランダムアクセスメモリタイプのワーキングメモリと、電源回路と、クロック回路と、複数の接続ポートを有するルータ／ブリッジ回路と、ＷＡＮネットワークへの接続に有用な変復調回路とを有する。しかし、これらの要素のすべては図示及び説明をしない。これらの説明は本発明の理解にとって必要ではない。無線接続インタフェースＧＷ−ＩＦ１は、ネットワークパスＬＡＮ−Ｌ１  ４の仲介を介して確立される接続の品質に貢献する、無線接続を実装するアンテナを含む。
【００３２】
接続されたテレビジョンセットＣＯＮＮ−ＴＶ３は、ネットワークゲートウェイＧＷ−ＩＥ２に接続されている。これはローカルネットワークの相互接続装置として機能する。本発明の本実施形態では、イーサネット標準と互換性のある接続を、有線ネットワークパスＬＡＮ−Ｌ２  ５の実装に用いる。テレビジョンセット装置は、オーディオビジュアルコンテンツの再生に有用であり、テレビジョンセットの機能の実装に有用な一組のモジュールを有するが、本発明の理解には不要なので、ここには図示しない。テレビジョンセットは制御部ＴＶ−ＣＵ３０を有し、これはマイクロコントローラ、フラッシュタイプの不揮発性記憶メモリ、組み込みソフトウェアを実行しシステムコンテキストをバックアップするランダムアクセスタイプのワーキングメモリ、電源回路、クロック回路、デ・マルチプレクサ、ＭＰＥＧ２標準と互換性のあるオーディオ／ビデオデコーダ、デジタル地上波テレビジョンの受信インタフェース、及びＬＡＮネットワークからコンテンツを受信するためのイーサネットインタフェースを有する。イーサネットインタフェースは、制御部ＴＶ−ＣＵ３０に含まれ、ローカルＬＡＮネットワークの有線ネットワークパスＬＡＮ−Ｌ２に接続されている。その管理はネットワークゲートウェイ（ルータ／ゲートウェイ）ＧＷ−ＩＥ２により行われる。テレビジョンセットＣＯＮＮ−ＴＶ３は、ＵＰｎＰ／ＤＬＮＡインターオペラビリティ標準と互換性がある。この標準により、ＵＰｎＰ／ＤＬＮＡと互換性のあるコントローラモジュールの制御下で、同じＬＡＮネットワークに接続された他の装置に記憶されたコンテンツアイテムを再生することができる。
【００３３】
ネットワークゲートウェイＧＷ−ＩＥ２の通信インタフェースＧＷ−ＩＦ１は、スマートホンタイプの携帯型装置ＷＦＤＩＳＰ１と通信を可能にするように構成されている。
【００３４】
本発明では、ゲートウェイＧＷ−ＩＥ２は、ＷｉＦｉディスプレイ標準により規定された情報要素ＩＥであって、情報要素ＩＥを送信する装置の機能を、接続されたリモート装置に通知するための情報要素ＩＥを送信する。
【００３５】
ＷｉＦｉディスプレイ標準が示すところによると、ＷｉＦｉディスプレイ互換装置であるとして認識（または検出）されるには、ＩＥ（情報要素、Information  Element）がＷｉＦｉ  ＭＡＣフレームに対応して挿入されていなければならない。
ＩＥはＷｉＦｉディスプレイ標準により規定され、問題の装置、すなわち送信器装置の特徴と相関している。
【００３６】
このように、本発明の本実施形態では、ルータゲートウェイは、ビーコンフレームに組み込まれた情報要素に記述することにより、それがディスプレイデバイスであることを示し、モデル、復号機能、及びサポートされたディスプレイ分解能などを示す。ゲートウェイは、対応する特徴を有する差異性装置にリンクする一または複数の双方向リンクを介して読むことにより、これらの情報アイテムを事前に取得している。
【００３７】
また、ゲートウェイは、複数の再生装置に接続されている場合、送信する情報要素ＩＥにおいて、同時に複数の「仮想的な」（エミュレートされた）再生装置であることを示すことができ、ＩＥを受信したリモート接続装置、例えばスマートホン、タブレットなどが、そのユーザに、当該装置の一またはその他が、ディスプレイ転送を実行することを目的として、直接的なピアツーピア接続を提供できるようにする。このようにユーザは選択してもよい。
【００３８】
本発明の本実施形態では、ＭＡＣレイヤの管理パケット、例えばビーコン、プローブリクエスト、またはプローブレスポンスなどのパケットにＩＥが挿入され、ゲートウェイＧＷ−ＩＥ２を、これが実際には再生装置ではなくても、ＷｉＦｉディスプレイ標準と互換性を有する再生装置であるとして表示できるようにする。本発明の本実施形態では、ゲートウェイＧＷ−ＩＥ２は、発光ダイオードタイプのインジケータまたはＬＣＤ制御スクリーンなど以外のオーディオビジュアル再生装置を含まない。本発明の本実施形態では、ゲートウェイＧＷ−ＩＥ２は、映画、画像または写真などのオーディオビジュアルコンテンツアイテムの再生に適したディスプレイスクリーンを有していない。
それにもかかわらず、ゲートウェイＧＷ−ＩＥ２は、ネットワークパスＬＡＮ−Ｌ１  ４とＬＡＮ−Ｌ２  ５よりなるＬＡＮネットワークに接続された機器アイテム間に、コンテンツをブロードキャストして共有するように構成されたサーバを有する。このサーバは、ネットワークゲートウェイＧＷ−ＩＥに組み込まれているが、最近のホーム（住居またはビジネス）ローカルネットワークで用いられる広く普及したＵＰｎＰ／ＤＬＮＡインターオペラビリティ標準と互換性がある。このように、ゲートウェイは、デジタルメディアコントローラ（ＤＭＣ）機能を実行でき、接続されたテレビジョンセットＣＯＮＮ−ＴＶ３をデジタルメディアレンダラ（ＤＭＲ）であるとして検出できる。テレビジョンセットＣＯＮＮ−ＴＶ３は、それ自体が、ＵＰｎＰ／ＤＬＮＡインターオペラビリティ標準と互換性がある。このようにゲートウェイは、ＵＰｎＰ／ＤＬＮＡインターオペラビリティ標準と互換性のあるデジタルメディア及びオーディオビジュアルコンテンツサーバとして動作し、接続されたテレビジョンセットＣＯＮＮ−ＴＶ３による、その内部の記憶メモリモジュールに記憶されたコンテンツアイテムの再生を制御するように構成されている。有線のイーサネットリンクＬＡＮ−Ｌ２は、メディアサーバと、ＤＬＮＡインターオペラビリティ標準の意味での再生装置との間の接続として機能する。換言すると、ＬＡＮリンクＬＡＮ−Ｌ２はＤＬＮＡ接続を行う。
【００３９】
また、本発明では、ネットワークゲートウェイＧＷ−ＩＥ２は、ＵＰｎＰ／ＤＬＮＡ標準で定義されたデジタルメディアコントローラ（ＤＭＣ）機能を実行するように構成されている。ネットワークゲートウェイＧＷ−ＩＥ２は、さらに、無線ＬＡＮネットワークＬＡＮ−Ｌ１  ４上のＷｉＦｉディスプレイサービス（シンク）機能を有し、ＵＰｎＰ／ＤＬＮＡ標準で定義されたデジタルメディアサーバ（ＤＭＳ）機能を部分的に実行するように構成されている。有利にも、ＷｉＦｉディスプレイ標準で定義された情報要素ＩＥの無線ネットワークＬＡＮ−Ｌ１  ４への送信のため、ＵＰｎＰ／ＤＬＮＡインターオペラビリティ標準と互換性のあるネットワークゲートウェイＧＷ−ＩＥ２は、ＷｉＦｉディスプレイ互換携帯型スマートホン装置ＷＦＤＩＳＰ１と、テレビジョンセットタイプの再生装置ＣＯＮＮ−ＴＶ３（これは生来的にＷｉＦｉディスプレイ互換である）との間のディスプレイ転送の機能の実装において、リレー（またはプロキシ）の機能を実行するように構成されている。
【００４０】
ネットワークゲートウェイＧＷ−ＩＥ２による情報要素ＩＥの送信により、携帯型装置ＷＦ−ＤＩＳＰ１は、ゲートウェイを、ＷｉＦｉディスプレイ互換オーディオビジュアルコンテンツ再生装置ではなくても、ＷｉＦｉディスプレイ互換オーディオビジュアルコンテンツ再生装置とみなす。
【００４１】
携帯型装置ＷＦＤＩＳＰ１は、そのユーザに、リモート装置での再生を目的として、記憶された、または外部情報源から受信したオーディオビジュアルコンテンツアイテムをコーディングしたデータフレームを送信できるようにするように構成されていてもよい。ゲートウェイ装置は、ＬＡＮネットワークＧＷ−ＩＦ１に接続するためのインタフェースの仲介によりこれらのフレームを受信し、ＵＰｎＰ／ＤＬＮＡサーバ機能の実装により、接続されたテレビジョンセットＣＯＮＮ−ＴＶ３にオーディオビジュアルコンテンツを送信する。接続されたテレビジョンセットは、ネットワークゲートウェイＧＷ−ＩＥ２の制御下、コンテンツに対応するデータを受信し、ＷｉＦｉディスプレイ標準と互換性のある再生装置になりすまして、ゲートウェイＧＷ−ＩＥ２の仲介により携帯型装置ＷＦＤＩＳＰ１により送信されたオーディオビジュアルコンテンツを再生する。テレビジョンセットＣＯＮＮ−ＴＶ３は、ゲートウェイＧＷ−ＩＥ２の仲介により装置ＷＦＤＩＳＰ１から受信したオーディオビジュアルコンテンツのビデオ及びオーディオ成分を、それぞれ再生するために、組み込み装置ＴＶ−ＶＲ３２とＴＶ−ＡＲ３３を用いる。
【００４２】
ゲートウェイＧＷ−ＩＥ２は、さらに、オーディオビジュアルコンテンツのコーディングするデータフォーマットの適応、及び／または変換（transcoding）をするように構成されている。例えば、ＵＰｎＰ／ＤＬＮＡインターオペラビリティ標準により実装された機能の利用により送信されるデータは、携帯型装置ＷＦＤＩＳＰ１からインタフェースＧＷ−ＩＦ１によりデータフレームで受信されるデータのフォーマットと必ずしも同一ではない。さらにまた、例えば、Ｈ．２６４コンテンツコーディングフォーマットで、携帯型装置ＷＦＤＩＳＰ１とネットワークゲートウェイＧＷ−ＩＥ２との間で、リンクレイヤのフレームで、データが直接送信される場合、ゲートウェイＧＷ−ＩＥ２は、例えば、ＭＰＥＧ２標準により転送されたオーディオビジュアルコンテンツをコーディングするために、そのデータを変換するように構成される。フォーマット変換、適応及び／または変換に有用な一組の動作は、ネットワークゲートウェイの制御部の制御下で、適応された処理モジュールを用いて実行される。
【００４３】
図２は、スマートホンＷＦＤＩＳＰ１が接続されたゲートウェイＧＷ−ＩＥ２と、接続されたテレビジョンセットＣＯＮＮ−ＴＶ３のアーキテクチャを詳細に示す図である。制御部ＧＷＣＵ２０は、ランダムアクセスメモリと不揮発性メモリとを伴い、組み込まれたソフトウェアルーチンを実行するように構成されたマイクロコントローラを有する。組み込まれたソフトウェアルーチンは、実行されると、ゲートウェイによりサポートされた一組の機能、特にネットワークブリッジ機能、ネットワークルータ機能、ネットワークスイッチ機能、無線ネットワークインタフェース機能、イーサネットインタフェース機能、ユーザへの通知機能、ゲートウェイポートに接続されたコンピュータを用いたオプション設定を可能にする設定ページ生成の機能、及びＵＰｎＰ／ＤＬＮＡサーバ機能と、ＵＰｎＰ／ＤＬＮＡサーバ機能に関連するコントローラ機能を実装する。制御部ＧＷＣＵ２０は、コントローラ及びサーバモジュールＤＬＮＡＳＲＶ２５に接続されている。これはＵＰｎＰ／ＤＬＮＡインターオペラビリティ機能の処理動作を実行する。制御部は、双方向制御及びデータバス２５０により、モジュールＤＬＮＡＳＲＶ２５に接続されている。制御部ＧＷＣＵ２０は、処理モジュールＰ−ＩＦ１  ２３とバス２１０及び２３０を介して、無線通信インタフェースである第１インタフェースＧＷ−ＩＦ１  ２１にも接続されている。処理モジュールは、バッファリング、リンクレイヤとトランスポートレイヤ間の適合化（adaptation）などの動作を実行するように構成されている。処理モジュールＰ−ＩＦ１  ２３は、制御部ＧＷＣＵ２０の制御下で動的に構成される。制御部ＧＷＣＵ２０は、処理モジュールＰ−ＩＦ２  ２４と内部バス２２０と２４０を介して、第２の通信インタフェースＧＷ−ＩＦ２  ２２にも接続されている。処理モジュールＰ−ＩＦ２  ２４は、処理モジュールＰ−ＩＦ１  ２３により実行される動作と同様の動作を実行する。制御部ＧＷＣＵ２０は、ルーティング及びブリッジ回路を有する。これらの回路は、設定されると、ネットワークゲートウェイＧＷ−ＩＥの様々なインタフェースと様々なポート間の現在の設定により提供されるルーティングを実行する。
【００４４】
ネットワークゲートウェイは、第３のインタフェースＧＷ−ＷＡＮ−ＩＦ  ２６を有する。これは、ＡＤＳＬタイプの通信ラインを介して、ブロードバンドネットワークへの接続を可能にする。この通信ラインは、例えば、インターネットなどのブロードバンドネットワークへの家庭からの接続を可能にする加入者線である。このラインはネットワークブランチＷＡＮ６により示されている。内部バス２６０は、インタフェースモジュールＧＷ−ＷＡＮ−ＩＦ２６と制御部ＧＷ−ＷＡＮ−ＩＦとの間のデータ交換を実行する。高速内部バスＧＷ−ＢＵＳ２６は、さらに、上記の様々なメインモジュール間のプロトコルデータの交換またはダイレクトメモリアクセス（ＤＭＡ）を可能にする。
【００４５】
制御部ＧＷＣＵ２０は、実行される組み込まれたソフトウェアの制御下で、処理モジュールＰ−ＩＦ１  ２３を設定して、ＷｉＦｉディスプレイ標準で定義された情報要素ＩＥタイプのデータを、インタフェースＧＷ−ＩＦ１のＭＡＣレイヤのフィールドに繰り返し挿入し、対応するフレームが、ゲートウェイＧＷ−ＩＥ２により管理されるローカルＬＡＮのパスＬＡＮ−Ｌ１  ４によりブロードキャストされたとき、接続された装置に、ゲートウェイが、ネットワークアクセスポイントとしての機能に加え、ＷｉＦｉディスプレイディスプレイ転送標準と互換性のある再生装置であると感知（または検出）させる。これらの情報要素ＩＥは、本実施形態では、例えば、ビーコンフレームフィールドで送信される。変形例では、これらの情報要素は、ＷｉＦｉディスプレイ標準の一版に規定された専用フレームで送信される。
【００４６】
本発明の本実施形態では、携帯型装置ＷＦＤＩＳＰ１は、ＷｉＦｉディスプレイと呼ばれるディスプレイ転送標準と生来的に互換性があり、そのディスプレイを、次のように、互換性のない接続されたテレビジョンセットＣＯＮＮ−ＴＶ３上に転送または複製できる。
【００４７】
ゲートウェイＧＷ−ＩＥ２が情報要素を送信する時、これらの要素は、無線リンクＬＡＮ−Ｌ１  ４によりゲートウェイＧＷ−ＩＥに接続されたスマートホンタイプの携帯型装置ＷＦＤＩＳＰ１により受信される。装置ＷＦＤＩＳＰ１は、そのユーザに、近くの互換装置へのディスプレイ転送の機能を利用できるようにする。機能は、ＷｉＦｉディスプレイ互換情報要素ＩＥの受信結果としてアナウンスされ、この場合には、互換性を有するゲートウェイにより送信される。ユーザは、自分のスマートホンＷＦＤＩＳＰ１のマン・マシンインタフェースにおける簡単な操作で、ディスプレイ転送を起動する選択をできる。無線ネットワークプロトコルのリンクレイヤで規定され、オーディオビジュアルコンテンツアイテムをコーディングするデータフレームは、ネットワークパスＬＡＮ−Ｌ１により送信され、ゲートウェイＧＷ−ＩＥ２の無線通信インタフェースにより受信されてから、処理モジュールＰ−ＩＦ１  ２３のバッファメモリに記憶され、制御部ＧＷＣＵ１により処理される。この制御部は、適応化手段と変換手段とを有し、データストリームまたは一以上のファイルの形式で受信したコンテンツを、処理モジュールＰ−ＩＦ２と第２のインタフェースＧＷ−ＩＦ２に再送信する。装置ＷＦＤＩＳＰ１から受信したオーディオビジュアルコンテンツは、第２の通信インタフェースＧＷ−ＩＦ２を介して、ＵＰｎＰ／ＤＬＮＡインターオペラビリティプロトコルの共有機能を利用して、送信される。制御及び処理モジュールＤＬＮＡＳＲＶ２５は、制御部ＧＷＣＵ１と共に動作して、ＵＰｎＰ／ＤＬＮＡプロトコルを、特にコントローラ及びサーバ機能を、コンテンツ共有と互換性のある一以上のデータフォーマットでデータを格納する機能に加えて実施する。
【００４８】
接続されたテレビジョンセットＣＯＮＮ−ＴＶ３は、ＵＰんＰ／ＤＬＮＡ標準により規定された送信モードにより、データフレームまたはパケットまたは連続したデータストリームを受信する。テレビジョンセットＣＯＮＮ−ＴＶ３の制御部ＴＶ−ＣＵ３０に含まれるイーサネットインタフェースは、受信したデータを、処理モジュールに送信する。処理モジュールは、一以上のビデオコンポーネントをビデオ再生モジュールＴＶ−ＶＲ３２に送り、一以上のオーディオコンポーネントをオーディオ再生モジュールＴＶ−ＡＲ３３に送れるようにするオーディオ及びビデオ復号モジュールを有する。ＷｉＦｉディスプレイ標準と互換性のあるディスプレイ転送機能を利用する携帯型スマートホン装置ＷＦＤＩＳＰ１により記憶または受信されたオーディオビジュアルコンテンツは、ＷｉＦｉディスプレイ標準で規定された情報要素を送信し、再生装置であると感知されているネットワークゲートウェイを介して、その標準と互換性がない接続されたテレビジョンセットＣＯＮＮ−ＴＶ３により再生される。
【００４９】
換言すると、ゲートウェイＧＷ−ＩＥ２は、それぞれ第１のインタフェースＧＷ−ＩＦ１と第２のインタフェースＧ”−ＩＦ２に接続されたパスＬＡＮ−Ｌ１  ４とＬＡＮ−Ｌ２  ５よりなるローカルＬＡＮネットワークの相互接続装置機能を実行する。第１のインタフェースＧＷ−ＩＦ１は、ＩＥＥＥ８０２．１１−２０１２標準などの無線通信を実装するように構成され、第２のインタフェースＧＷ−ＩＦ２は、ローカルＵＰｎＰ／ＤＬＮＡネットワークのインターオペラビリティ標準で規定されているように、コンテンツを送信し、コンテンツ共有をするように構成されている。ネットワークゲートウェイＧＷ−ＩＥ２は、ＷｉＦｉディスプレイによる再生機能と互換性があるとして、無線ネットワークＬＡＮ−Ｌ１に接続するインタフェースを用いて、スマートホンＷＦＤＩＳＰ１などのリモート機器により検知できるように、情報要素ＩＥを送信するように構成されている。ゲートウェイは、無線ネットワークプロトコルのリンクレイヤで規定された、特にＨ．２６４フォーマットなどのオーディオビジュアルコンテンツアイテムのデータコーディングで、データフレームを受信するように構成されている。このようにデータは、無線接続により、ゲートウェイの第１のインタフェースＧＷ−ＩＦ１に接続された、リモート装置ＷＦＤＩＳＰから受信される。また、ゲートウェイは、データフレームを受信すると、またはフォーマット適合とオーディオ及び／またはビデオ変換の後に、スマートホンＷＦＤＩＳＰ１から受信したオーディオビジュアルコンテンツを、第２のインタフェースＧＷ−ＩＦ２に送信し、装置ＷＦＤＩＳＰ１から受信したコンテンツが、第２のインタフェースＧＷ−ＩＦ２に接続されたたれビジョンセットＣＯＮＮ−ＴＶ３により再生されるようにする。
【００５０】
ＵＰｎＰ／ＤＬＮＡインターオペラビリティ標準で規定された機能は、ゲートウェイからの、及び接続されてテレビジョンセットへのデータの送信に利用する。
【００５１】
装置ＷＦＤＩＳＰ１は、データフレームのゲートウェイへの送信にＭＡＣリンクレイヤ（ＯＳＩモデルのレイヤ２）を用いる。
【００５２】
ゲートウェイに、そのネットワークゲートウェイとしての主要機能に加えて、自分がＷｉＦｉディスプレイ再生装置に巧妙になりすまさせる方法は、次のステップを有する：
−インタフェースＧＷ−ＩＦ１が、スマートホンＷＦＤＩＳＰ１などのリモート機器アイテムにより、ＧＷ−ＩＦ１などの無線接続インタフェースを用いる再生機能（すなわち、ディスプレイ転送機能）と互換性があると検出されるために、少なくとも一情報要素を送信するステップ、
−ＭＡＣレイヤが、送信されたデータフレームを受信する、データフレームは、オーディオビジュアルコンテンツアイテムをコーディングしたデータを含み、無線接続ＬＡＮ−Ｌ１  ４によりスマートホンＷＦＤＩＳＰ１から受信されるステップ、
−スマートホンから受信したＭＡＣフレーム中の受信したコンテンツを、例えば、ＵＰｎＰ／ＤＬＮＡインターオペラビリティプロトコルを用いて、すぐにまたは後で、ＧＷ−ＩＦ２インタフェースに（及び、それ故に、受信したコンテンツが、イーサネットリンクＬＡＮ−Ｌ２  ５によりゲートウェイに接続されたテレビジョンセットＣＯＮＮ−ＴＶ３により表示されるように、ネットワークパスＬＡＮ−Ｌ２  ５に）送信するステップ。
【００５３】
図３は、ＷｉＦｉディスプレイ互換装置の、ＷｉＦｉディスプレイ互換ではない装置との、無線インタフェースＧＷ−ＩＦ１に接続された装置に送信されたビーコンフレームにおいて情報要素ＩＥを送信することにより巧妙にＷｉＦｉディスプレイ互換機器アイテムのように見えるネットワークゲートウェイＬＡＮ  ＧＷ−ＩＥ２を介した、相互接続方法を示す機能図である。
【００５４】
ステップＳ０は、スイッチオンに続く、初期化と、ネットワークゲートウェイのグローバル設定とに対応する。ゲートウェイの制御部は、不揮発性メモリに記憶されている組み込みソフトウェアルーチンを、ランダムアクセスメモリにコピーして、実行する。ソフトウェアルーチンの実行により、ゲートウェイの機能の実装に有用なすべての回路とそのレジスタの設定が可能になる。ステップＳ０の終わりに、ゲートウェイは、インタフェースＧＷ−ＷＡＮ−ＩＦ２６に接続されたネットワークＷＡＮ６を、なかんずく、ＬＡＮネットワークパスＬＡＮ−Ｌ１  ４とＬＡＮ−Ｌ２  ５よりなるＬＡＮローカルネットワークと相互接続できるようにするモデムルータとして設定され動作する。ゲートウェイは、ユーザが、ＬＡＮネットワークに接続された装置間でコンテンツを共有できるようにするＵＰｎＰ／ＤＬＮＡサーバ及びコントローラとして、ＬＡＮネットワーク上で機能する。上記の一組のモジュールが設定され動作可能となる。ステップＳ１において、制御部ＧＷＣＵ２０の制御下において、処理モジュールＰ−ＩＦ１  ２３は、ゲートウェイが、無線ネットワークＬＡＮ−Ｌ１によりインタフェースＧＷ−ＩＦ１  ２１に送信されたＭＡＣフレームでオーディオビジュアルコンテンツアイテムを受信できる再生装置であることを示す情報要素ＩＥを挿入する。リモートの、接続された装置ＷＦＤＩＳＰ１は、その後、これらの情報アイテムを検出し、ユーザの制御下で、オーディオビジュアルコンテンツアイテムの、ゲートウェイの無線ネットワークインタフェースへの転送を開始する。ステップＳ２において、ゲートウェイは、リモート装置ＷＦＤＩＳＰ１により送信されたフレームを受信して、それを一時的に処理モジュールＰ−ＩＦ１  ２３のバッファメモリに保存する。処理モジュールは、制御部ＧＷＣＵ２０にフレームの到着を通知する。制御部は、バッファメモリＰ−ＩＦ１をスキャンして、受信したオーディオビジュアルコンテンツのデータコーディングに用いられたコーディングタイプを検出する。
【００５５】
ステップＳ３において、制御部は、接続された再生装置ＣＯＮＮ−ＴＶ３にデータを送信する前に、処理モジュールＰ−ＩＦ１  ２３及び処理モジュールＰ−ＩＦ２  ２４と共に、並びにサーバＤＬＮＡＳＲＶ２５と共に、データの準備をする。制御部ＧＷＣＵ２０は、事前に、例えば、ビデオコーディングフォーマットＭＰＥＧ２などの再生装置ＣＯＮＮ−ＴＶ３による受信においてサポートされているのはどのオーディオ及びビデオコーディングフォーマットか、決定している。装置ＷＦＤＩＳＰ１により送信されフレームで使われているオーディオ及びビデオコンポーネントのコーディングが、再生装置ＣＯＮＮ−ＴＶ３により使われているコーディングに一致する場合、コンポーネントの変換は必要ない。このように、ステップＳ３は、データのフォーマットをトランスポートに適合させることに対応する。ステップＳ４は、準備したデータの、テレビジョンセットＣＯＮＮ−ＴＶ３の制御部ＴＶ−ＣＵのイーサネットインタフェースに接続されたインタフェースＧＷ−ＩＦ２への転送にあたる。制御部ＴＶ−ＣＵ３０は、到着したデータを処理し、そのデータをテレビジョンセットＣＯＮＮ−ＴＶ３のオーディオ及びビデオ再生モジュールＴＶ−ＡＲ３３とＴＶ−ＶＲ３２に転送する。ディスプレイが転送及び／または複製された携帯型装置ＷＦＤＩＳＰ１上で利用できるコンテンツが、再生装置ＣＯＮＮ−ＴＶ３上に再生される。ゲートウェイは、ＷｉＦｉディスプレイ標準によるコンテンツ送信において、プロキシタイプのリレーとして機能する。この方法の重要な利点は、新しい機器を取得する必要がないことである。さらに、古いネットワークゲートウェイが、組み込みソフトウェアの視点から更新でき、適当な情報要素ＩＥの挿入を可能とするソフトウェアルーチンを含む。本発明によるこの方法では、従来技術で使うような、テレビジョンセットＣＯＮＮ−ＴＶ３にＨＤＭＩインタフェースにより受信したオーディオビジュアルコンテンツをＷｉＦｉディスプレイ受信が送信できるようにするドングルを用いる必要がない。
【００５６】
もちろん、本発明は、ＷｉＦｉディスプレイディスプレイ転送プロトコルとの互換性のエミュレーションに限定されず、情報要素の挿入によりローカルネットワークに接続された第三者の機器に存在を示すことができる他のディスプレイ転送プロトコルに適用できる。さらに、本発明は、ローカルＵＰｎＰ／ＤＬＮＡネットワークにより共有されたオーディオビジュアルコンテンツに適応したゲートウェイに限定されず、接続されたテレビジョンセットＣＯＮＮ−ＴＶ３が有線の（それゆえ、ＷｉＦｉディスプレイ互換ではない）入力インタフェースを用いてゲートウェイの制御下でコンテンツアイテムを再生できるようにする任意のインターオペラビリティプロトコルに適用可能である。
【００５７】
最後に、本発明は、ネットワークゲートウェイに限定されず、ローカルネットワーク用の任意の相互接続装置であって、ディスプレイ転送機能との互換性を示す情報要素（ＩＥ）を送信でき、ネットワークプロトコルのリンクレイヤに組み込まれたフレームにより符号化され送信されたオーディオビジュアルコンテンツアイテムを受信できる第１の無線接続インタフェースとを有し、インターオペラビリティプロトコルの実装によりコンテンツ共有するように構成され、接続されたディスプレイ装置上に再生するために（第１のインタフェースにより）受信したコンテンツを再送信できる第２のインタフェースを有する相互接続装置にも適用可能である。
【図１】
2015008460.tif 000003
【図２】
2015008460.tif 000004
【図３】
2015008460.tif 000005
【外国語明細書】
2015008460000001.pdf